(57)【要約】  【課題】  照明器具を構成する本体があたかも天井から浮いている(天井から下面方向に離隔している)ように見える新規発想の照明器具を提供する。  【解決手段】  外周側が天井１から間隔を置いて設置される本体２と、この本体２の下面に設けられるランプ３とを備え、前記本体２の上面中央に筒状部４が突出して設けられるとともに、前記本体２の少なくとも前記筒状部４より外周側は半透光性材料が好ましい透光性材料で形成されることにより前記ランプ３の光が天井１に照射可能とされ、前記筒状部４の外周には外周面が実質的に鏡面である鏡面筒状体５が設けられた照明器具である。本体２は全体的に半透光性樹脂材料で形成されても、筒状部４より外周側が半透光性樹脂材料で形成されてもよい。【選択図】  図１
2005222866.tif 000002
【特許請求の範囲】
【請求項１】
外周側が天井から間隔を置いて設置される本体と、この本体の下面に設けられるランプとを備え、前記本体の上面中央に筒状部が突出して設けられるとともに、前記本体の少なくとも前記筒状部より外周側は透光性材料で形成されることにより前記ランプの光が天井に照射可能とされ、前記筒状部の外周には外周面が実質的に鏡面である鏡面筒状体が設けられた照明器具。
【請求項２】
請求項１において、本体は透光性樹脂材料で形成され、筒状部は前記本体の上面中央に一体に突出形成されている照明器具。
【請求項３】
請求項１において、本体の上面には筒状部の内周側に位置し天井に当接するクッション材が設けられている照明器具。
【発明の詳細な説明】
【技術分野】
【０００１】
本発明は、照明器具を構成する本体があたかも天井から浮いている(天井から下面方向に離隔している)ように見える新規発想の照明器具に関する。
【背景技術】
【０００２】
特許文献１の照明器具は、外周側が天井から間隔を置いて設置される本体と、この本体の下面に設けられるランプとを備え、前記本体の上面中央には筒状を成す天井取付用のカバーが天井に接するように突出して設けられ、前記本体を半透光性樹脂材料で形成して前記ランプの光が天井に照射可能とされている。
【特許文献１】特開２００３−３４６５４６号公報
【発明の開示】
【発明が解決しようとする課題】
【０００３】
しかし、特許文献１では、天井取付用のカバーの外周面が部屋の隅から視認できるため、外観的に問題があるということに着目されるべきである。本発明は、この外観的問題を解消して、照明器具を構成する本体があたかも天井から浮いている(天井から下面方向に離隔している)ように見える新規発想の照明器具を提供することを目的とする。
【課題を解決するための手段】
【０００４】
本発明を要約すると、外周側が天井から間隔を置いて設置される本体と、この本体の下面に設けられるランプとを備え、前記本体の上面中央に筒状部が突出して設けられるとともに、前記本体の少なくとも前記筒状部より外周側は透光性材料で形成されることにより前記ランプの光が天井に照射可能とされ、前記筒状部の外周には外周面が実質的に鏡面である鏡面筒状体が設けられた照明器具である。
【発明の効果】
【０００５】
本発明によれば、天井が明るい昼間では、天井のクロスなどが鏡面筒状体に反射して斜め下方から目視されるため、本体の上面側には実質的に天井しかないように視認され、本体があたかも天井から浮いている(天井から下面方向に離隔している)ように見える。また、夜間のランプ点灯時には、ランプの光が本体を透過して天井に照射されるので、やはり、天井のクロスなどが鏡面筒状体に反射して斜め下方から目視されるため、本体の上面側には実質的に天井しかないように視認され、本体があたかも天井から浮いている(天井から下面方向に離隔している)ように見える。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、外周側が天井１から間隔を置いて設置される本体２と、この本体２の下面に設けられる環状のランプ３とを備え、前記本体２の上面中央に筒状部４が突出して設けられるとともに、前記本体２の少なくとも前記筒状部４より外周側は外観面から半透光性材料が好ましい透光性材料で形成されることにより前記ランプ３の光が天井１に照射可能とされ、前記筒状部４の外周には外周面が実質的に鏡面である鏡面筒状体５が設けられた照明器具である。本体２は全体的に透光性樹脂材料で形成されても、筒状部４より外周側が透光性樹脂材料で形成されてもよい。また、筒状部４は本体２の上面中央に一体に突出形成されるようにすると製造面で有利である。また、本体２の上面には筒状部４の内周側に位置し天井１に当接するスポンジなどクッション材６が貼り付けなどして設けられている。このクッション材６により天井１との摩擦が生じ、本体２が不用意に回転されにくくなるとともに、その水平姿勢も安定する。また、クッション材６は筒状部４の内周側にあり、筒状部４が透光性であっても鏡面筒状体５により実質的に隠されるため、外観が良い。なお、筒状部４が実質的に完全な筒であると、そのような筒状部４の外周面に金属蒸着により鏡面筒状体５を形成してもよいが、図示のように筒状部４の外周に鏡面筒状体５を被せて設ける場合には、筒状部４に部分的に切り欠きがあっても別段差し支えない。
【０００８】
さらに詳述すれば、天井１には引掛ローゼット７が固定され、その下面には内部に高周波点灯回路基板８を収めたアダプタ９が接続されている。この接続は、アダプタ９の上面に設けた導電性の引掛刃１０、１０を引掛ローゼット７下面の一対の円弧孔(図示せず)に差し込み回転することにより成される。この接続により、引掛刃１０、１０から交流電源が受電されて高周波点灯回路基板８に実装された高周波点灯回路が作動する。本体２はその中央に取付孔１１が形成されており、本体２をアダプタ９に取り付ける際は本体２を押し上げてアダプタ９が取付孔１１に通されるようにする。そうすると、図示されないバネで中心方向に付勢されるように本体２に設けられた被係止部１２は後退した後、再び突出してアダプタ９に係止される。
【０００９】
アダプタ９の上方部には上下二段の凸縁１３、１３が形成されるが、図では上側の凸縁１３の上面に被係止部１２が係止される。なお、角型の引掛ローゼット７の代わりに相対的に高さの低い丸型の引掛ローゼットが設置されている場合は、アダプタ９の位置が図より上に位置するため、被係止部１２は下側の凸縁１３に係止される。また、被係止部１２の後端下部に突出した解除操作部１４を外向きに変位操作すると、被係止部１２とアダプタ９との係止状態は解除され、本体２は取り外し可能となる。なお、被係止部１２は本体２の下面に固定されたケース１５の内部にスライド可能に設けられている。
【００１０】
本体２の下面にはソケット１６が設けられ、ソケット１６からは図示しないコネクタ付きのリード線をアダプタ９の側面などに臨ませたコネクタ(図示せず)に接続するなどして、ソケット１６に高周波点灯回路の出力を供給する。そして、ランプ３をソケット１６に接続装着してから、半透光性のグローブ１７を本体２の下面に設けた複数の取付具１８に取り付けることにより、照明器具の設置が完了する。この照明器具では、天井１への配光も得られ、ランプ３が点灯したときの本体２付近の天井１が明るくなり圧迫感が解消される。なお、アダプタ９は、実装部品を含む高周波点灯回路基板８からの輻射ノイズ低減及び強度向上のために実質的に金属板で覆われていると好ましい。
【００１１】
本実施形態によれば、天井１が明るい昼間では、天井１のクロスなどが鏡面筒状体５に反射して斜め下方から目視されるため、本体２の上面側には実質的に天井１しかないように視認され、本体２があたかも天井１から浮いている(天井１から下面方向に離隔している)ように見える。また、夜間のランプ３の点灯時には、ランプ３の光が本体２を透過して天井１に照射されるので、やはり、天井１のクロスなどが鏡面筒状体５に反射して斜め下方から目視されるため、本体２の上面側には実質的に天井１しかないように視認され、本体２があたかも天井１から浮いている(天井１から下面方向に離隔している)ように見える。
【図面の簡単な説明】
【００１２】
【図１】照明器具の断面図
【符号の説明】
【００１３】
１  天井
２  本体
３  ランプ
４  筒状部
５  鏡面筒状体
６  クッション材
【図１】
2005222866.tif 000003